(57)【要約】【課題】本発明は、出入り口ごとに手荷物のリストを登録しておかなくても、ユーザの持ち物チェックを行うことのできるシステムを提供する。【解決手段】持ち物リスト作成装置５００は、ユーザが持ち出す物品のＩＣタグ３００に記憶された名称情報３９１を含む持ち物リストデータ１９１を作成し、ＩＣカード１００に持ち物リストデータ１９１を記録する。ゲート管理装置７００は、ＩＣカード１００から読み出した持ち物リストデータ１９１と、ゲートを通過するユーザが所持する物品に付けられたＩＣタグ３００から読み出した名称情報３９１とを照合することで、ユーザの持ち物チェックを行う。【選択図】図１
2008123509.tif 000002
【特許請求の範囲】
【請求項１】
ＩＣカードと、物品に付けられたＩＣタグと、持ち物リスト作成装置と、ゲート管理装置と、から構成される物品管理システムであって、
前記持ち物リスト作成装置は、
持ち物リストデータを作成し、作成した前記持ち物リストデータを前記ＩＣカードに記録させる持ち物リスト作成手段を備え、
前記ＩＣカードは、前記持ち物リスト作成装置から受信した前記持ち物リストデータを記録する手段と、前記ゲート管理装置から前記持ち物リストデータの送信要求を受けると、記憶している前記持ち物リストデータを前記ゲート管理装置に送信する持ち物リスト送信手段とを備え、
前記ＩＣタグは、前記物品の名称情報を記憶する記憶手段と、前記ゲート管理装置から前記名称情報の送信要求を受けると、前記名称情報を前記ゲート管理装置に送信する名称情報送信手段とを備え、
前記ゲート管理装置は、前記ＩＣカードに前記持ち物リストデータの送信を要求し、前記ＩＣカードから前記持ち物リストデータを受信する持ち物リスト受信手段と、前記ＩＣタグに前記名称情報の送信を要求し、前記名称情報を前記ＩＣタグから受信する名称情報受信手段と、前記ＩＣタグから受信した前記名称情報を用いて、前記所持リストデータを作成する所持リスト作成手段と、前記持ち物リスト受信手段が前記ＩＣカードから受信した前記持ち物リストデータと、前記所持リスト作成手段が作成した前記所持リストデータとを照合し一致するか判定し、判定結果を出力する判定手段とを備えることを特徴とする物品管理システム。
【請求項２】
前記持ち物リスト作成装置に備えられた前記持ち物リスト発行手段は、前記名称情報と前記名称情報で特定される前記物品の個数を対応させた前記持ち物リストデータを作成する手段であって、前記所持リスト作成手段は、前記ＩＣタグから受信した前記名称情報の中に同じものがある場合、その個数を算出して、前記名称情報と個数を対応付けた前記所持リストデータを作成する手段で、前記判定手段は、前記ＩＣカードから受信した前記持ち物リストデータの前記名称情報および個数と、前記所持リストデータの前記名称情報と個数が一致するかを判定する手段であることを特徴とする請求項１に記載の物品管理システム。
【請求項３】
前記ゲート管理装置は、前記判定手段の判定結果が一致であるとき、ゲートを開く開門手段を備えることを特徴とする請求項１または請求項２に記載の物品管理システム。
【請求項４】
ＩＣカードと、物品に付けられたＩＣタグと、持ち物リスト作成装置と、ゲート管理装置とを利用して、物品の持ち出しを管理する物品管理方法であって、
前記持ち物リスト作成装置が、持ち物リストデータを作成し、作成した前記持ち物リストデータを前記ＩＣカードに記録させるステップａと、
前記ゲート管理装置が、前記ＩＣカードに前記持ち物リストデータの送信を要求し、前記ＩＣカードから前記持ち物リストデータを受信するステップｂと、
前記ゲート管理装置が、前記ＩＣタグに前記名称情報の送信を要求し、前記名称情報を前記ＩＣタグから受信するステップｃと、
前記ゲート管理装置が、前記ＩＣタグから受信した前記名称情報を用いて、前記持ち物リスト受信手段が受信した前記名称情報の一覧である所持リストデータを作成するステップｄと、
前記ゲート管理装置が、前記ＩＣカードから受信した前記持ち物リストデータと、前記所持リスト作成手段が作成した前記所持リストデータとを照合し一致するか判定し、判定結果を出力するステップｅと、
を含んだ手順でなされることを特徴とする物品管理方法。
【請求項５】
前記ステップａは、前記名称情報と前記名称情報で特定される前記物品の数量情報を対応させた前記持ち物リストデータを作成するステップであって、
前記ステップｄは、前記ゲート管理装置が、前記ＩＣタグから受信した前記名称情報に同じものがある場合、その個数を算出して、前記名称情報と個数を対応付けた前記所持リストデータを作成するステップで、
前記ステップｅは、前記ゲート管理装置が、前記ＩＣカードから受信した前記持ち物リストデータの前記名称情報およびその個数と、前記所持リストデータの前記名称情報およびその個数が一致するかを判定するステップであることを特徴とする請求項４に記載の物品管理方法。
【請求項６】
前記ステップｅの判定結果が一致であれば、前記ゲート管理装置が、ゲートを開くステップと、を含んだ手順でなされることを特徴とする請求項４または請求項５に物品管理方法。
【発明の詳細な説明】
【技術分野】
【０００１】
本発明は、管理領域から物品を持ち出すときに、予め予約した物品をもちだしたかを管理するシステム、および、その方法に関するものである。
【背景技術】
【０００２】
従来から、建物から出入りするときの手荷物の内容を確認できる発明が考案されている。例えば、特許文献１では、建屋や部屋から出入りするときなどに、手荷物の置き忘れを防止するためのシステムが開示されている。
【０００３】
特許文献１で開示されている照合システムでは、ＩＣタグに記憶された情報を読取るＩＣタグリーダを建物の出入り口に設置し、ＩＣタグが付けられた手荷物を収めたバッグが通過すると、バッグに収められたＩＣタグに記憶された情報をＩＣタグリーダが読み取り、ＩＣタグリーダは読取った情報をパソコンに送信する。パソコンは、ユーザの手荷物の一覧が記述された手荷物リストを保持し、ＩＣタグリーダから送信された情報とこの手荷物リストとを照合し、ユーザに不足物を告知する。
【特許文献１】特開２００４−２１３１３０号公報
【発明の開示】
【発明が解決しようとする課題】
【０００４】
特許文献１で開示されている発明は、手荷物の置き忘れ防止のみならず、建屋からの機密情報の持ち出しにも応用することができるが、特許文献１で開示されている発明では、建物の出入り口に備え付けられたＩＣタグの読取装置に接続したパソコンに、予め手荷物リストを登録しておかなければならず、手荷物リストが登録されていないパソコンが接続された出入り口では、ユーザの手荷物のチェックができないという問題があった。
【０００５】
本発明はこのような問題を考慮してなされたものであって、出入り口ごとに手荷物のリストを登録しておかなくても、ユーザの持ち物チェックを行うことのできるシステムおよび方法を提供することである。
【課題を解決するための手段】
【０００６】
本発明は、以下のような解決手段により、前記課題を解決する。すなわち、請求項１の発明は、ＩＣカードと、物品に付けられたＩＣタグと、持ち物リスト作成装置と、ゲート管理装置と、から構成される物品管理システムであって、
前記持ち物リスト作成装置は、
持ち物リストデータを作成し、作成した前記持ち物リストデータを前記ＩＣカードに記録させる持ち物リスト作成手段を備え、
前記ＩＣカードは、前記持ち物リスト作成装置から受信した前記持ち物リストデータを記録する手段と、前記ゲート管理装置から前記持ち物リストデータの送信要求を受けると、記憶している前記持ち物リストデータを前記ゲート管理装置に送信する持ち物リスト送信手段とを備え、
前記ＩＣタグは、前記物品の名称情報を記憶する記憶手段と、前記ゲート管理装置から前記名称情報の送信要求を受けると、前記名称情報を前記ゲート管理装置に送信する名称情報送信手段とを備え、
前記ゲート管理装置は、前記ＩＣカードに前記持ち物リストデータの送信を要求し、前記ＩＣカードから前記持ち物リストデータを受信する持ち物リスト受信手段と、前記ＩＣタグに前記名称情報の送信を要求し、前記名称情報を前記ＩＣタグから受信する名称情報受信手段と、前記ＩＣタグから受信した前記名称情報を用いて、前記所持リストデータを作成する所持リスト作成手段と、前記持ち物リスト受信手段が前記ＩＣカードから受信した前記持ち物リストデータと、前記所持リスト作成手段が作成した前記所持リストデータとを照合し一致するか判定し、判定結果を出力する判定手段とを備えることを特徴とする物品管理システムである。
【０００７】
ここで、持ち物リストデータを記憶したＩＣカードの所持者は、任意のゲート管理装置を利用して、物品を管理する（＝物品の過不足を調べる）ことが可能となる。
【０００８】
請求項２の発明は、前記持ち物リスト作成装置に備えられた前記持ち物リスト発行手段は、前記名称情報と前記名称情報で特定される前記物品の個数を対応させた前記持ち物リストデータを作成する手段であって、前記所持リスト作成手段は、前記ＩＣタグから受信した前記名称情報の中に同じものがある場合、その個数を算出して、前記名称情報と個数を対応付けた前記所持リストデータを作成する手段で、前記判定手段は、前記ＩＣカードから受信した前記持ち物リストデータの前記名称情報および個数と、前記所持リストデータの前記名称情報と個数が一致するかを判定する手段であることを特徴とする請求項１に記載の物品管理システムである。
【０００９】
請求項３の発明は、前記ゲート管理装置は、前記判定手段の判定結果が一致であるとき、ゲートを開く開門手段を備えることを特徴とする請求項１または請求項２に記載の物品管理システムである。
【００１０】
請求項４の発明は、ＩＣカードと、物品に付けられたＩＣタグと、持ち物リスト作成装置と、ゲート管理装置とを利用して、物品の持ち出しを管理する物品管理方法であって、
前記持ち物リスト作成装置が、持ち物リストデータを作成し、作成した前記持ち物リストデータを前記ＩＣカードに記録させるステップａと、
前記ゲート管理装置が、前記ＩＣカードに前記持ち物リストデータの送信を要求し、前記ＩＣカードから前記持ち物リストデータを受信するステップｂと、
前記ゲート管理装置が、前記ＩＣタグに前記名称情報の送信を要求し、前記名称情報を前記ＩＣタグから受信するステップｃと、
前記ゲート管理装置が、前記ＩＣタグから受信した前記名称情報を用いて、前記持ち物リスト受信手段が受信した前記名称情報の一覧である所持リストデータを作成するステップｄと、
前記ゲート管理装置が、前記ＩＣカードから受信した前記持ち物リストデータと、前記所持リスト作成手段が作成した前記所持リストデータとを照合し一致するか判定し、判定結果を出力するステップｅと、
を含んだ手順でなされることを特徴とする物品管理方法である。
【００１１】
請求項５の発明は、前記ステップａは、前記名称情報と前記名称情報で特定される前記物品の数量情報を対応させた前記持ち物リストデータを作成するステップであって、
前記ステップｄは、前記ゲート管理装置が、前記ＩＣタグから受信した前記名称情報に同じものがある場合、その個数を算出して、前記名称情報と個数を対応付けた前記所持リストデータを作成するステップで、
前記ステップｅは、前記ゲート管理装置が、前記ＩＣカードから受信した前記持ち物リストデータの前記名称情報およびその個数と、前記所持リストデータの前記名称情報およびその個数が一致するかを判定するステップであることを特徴とする請求項４に記載の物品管理方法である。
【００１２】
請求項６の発明は、前記ステップｅの判定結果が一致であれば、前記ゲート管理装置が、ゲートを開くステップと、を含んだ手順でなされることを特徴とする請求項４、または、請求項５に物品管理方法である。
【発明の効果】
【００１３】
本願発明によれば、手荷物などの物品のリストは、ユーザが所持するＩＣカードに記憶されるため、出入り口ごとに手荷物のリストを登録しておかなくても、ユーザの持ち物チェックを行うことのできる物品管理システムおよび方法を提供できる。
【発明を実施するための最良の形態】
【００１４】
（実施例）
以下、図面等を参照しながら、本発明の実施の形態について説明する。
【００１５】
図１は、物品管理システム１の概要を説明する図である。物品管理システム１は、非接触型のＩＣカード１００と、ＩＣタグ３００を付けた物品と、持ち物リスト作成装置５００と、ゲート装置７００とから構成され、ＩＣタグ３００には、ＩＣタグ３００が付けられた物品の名称情報３９１が記憶されている。
【００１６】
持ち物リスト作成装置５００は、ＩＣカード読取装置５００ａを備えており、ユーザはＩＣカード１００をかざして認証を受けて、持ち物リスト作成装置５００にログインする。ユーザは、持ち物リスト作成装置５００から物品リストを呼び出し、管理領域９００から持ち出す物品の名称情報３９１を選択して、その個数を入力する。持ち物リスト作成装置５００は、ユーザが管理領域９００から持ち出す物品の名称情報３９１及び個数をリストにした持ち物リストデータ１９１を作成する。ユーザは、持ち物リスト作成装置５００のディスプレイ画面上で管理領域９００から持ち出す物品の名称情報３９１および個数を確認し、持ち物リストデータ１９１をＩＣカード１００に記録させることを持ち物リスト作成装置５００に指示し、持ち物リスト作成装置５００は、持ち物リストデータ１９１をＩＣカード１００に記録する。
【００１７】
管理領域９００の出入り口に備えられているゲート管理装置７００は、ＩＣカード読書装置７００ａとＩＣタグ読取装置７００ｂを備えている、ユーザが物品を携帯してゲート管理装置７００を通過するときに、ゲート管理装置７００のＩＣタグ読取装置７００ｂは、ユーザが携帯している物品に付いているＩＣタグ３００から名称情報３９１を読み取る。ゲート管理装置７００は、ＩＣタグ３００から読み出した名称情報３９１を用いて、ユーザが所持している物品のリストを示す所持リストデータ７９１を作成する。すなわち、この所持リストデータ７９１には、ユーザがゲート管理装置７００のゲートを通過するときに携帯していた物品の名称情報３９１が記載されることになる。
【００１８】
図２は、物品管理システム１の処理フローを示す。持ち物リスト作成装置５００は、ユーザが持っていくべき物品の名称情報３９１とその個数をリスト化して、持ち物リストデータ１９１を作成する（図2（１））。持ち物リスト作成装置５００に接続されているＩＣカード読書装置５００ａは、持ち物リストデータ１９１をＩＣカード１００に記録する（同（２））。
【００１９】
ユーザがゲート管理装置７００のゲートを通過するときに、ゲート管理装置７００のＩＣカード読書装置７００ａは、ユーザがかざしたＩＣカード１００を検知すると、検知したＩＣカード１００に持ち物リストデータ１９１の送信を要求する（同（３））。ＩＣカード１００は、ゲート管理装置７００のＩＣカード読書装置７００から持ち物リストデータ１９１の送信要求を受け付けて、持ち物リストデータ１９１をＩＣカード読書装置７００ａに返信する（同（４））。ゲート管理装置７００は、ＩＣカード１００から持ち物リストデータ１９１を受信すると、ＩＣカード１００から受信した持ち物リストデータ１９１を記憶装置（例えば、半導体メモリ）に記録する（同（５））。
【００２０】
ゲート管理装置７００のＩＣタグ読取装置７００ｂは、ユーザが携帯している物品に付けられたＩＣタグ３００を検知して、検知したＩＣタグ３００に名称情報３９１の送信を要求する（同（６））。ＩＣタグ３００は、名称情報３９１の送信要求を受け付けて、名称情報３９１をＩＣタグ読取装置７００ｂに送信する（同（７））。ゲート管理装置７００のＩＣタグ読取装置７００ｂはＩＣタグ３００から名称情報３９１を受信すると、ＩＣタグ３００から受信した名称情報３９１すべてを記憶装置に記憶することで、ユーザが携帯している物品の一覧を示す所持リストデータ７９１を作成して保持する（同（８））。
【００２１】
ゲート管理装置７００は、ＩＣカード１００から読み出した持ち物リストデータ１９１に含まれる名称情報３９１と、ＩＣタグ３００から読み出した名称情報３９１から生成される所持リストデータ７９１に含まれる名称情報３９１とを照合し、持ち物リストデータ１９１に記述された名称情報３９１が過不足なく所持リストデータ７９１に記述されていればゲートを開く（同（９））。
【００２２】
このように、ユーザが管理区域９００から携帯して持ち出す物品のリストである持ち物リストデータ１９１を持ち物リスト作成装置５００で作成し、作成した持ち物リストデータ１９１をユーザのＩＣカード１００に記憶しておくことにより、ユーザが物品を携帯してゲート管理装置７００のゲートを通過するときに、ユーザが保持している物品に付けられたＩＣタグ３００に記憶された名称情報３９１から生成される所持リストデータ７９１とＩＣカード１００に記録されている持ち物リストデータ１９１を照合することにより、ユーザの忘れ物の防止やユーザが持ち出す物品の管理が可能になる。
【００２３】
更に、本発明では、持ち物リストデータ１９１は、ユーザが所持するＩＣカード１００に記憶されるため、予めゲート管理装置７００に持ち物リストデータ１９１を記憶させる必要はなくなる。
【００２４】
図３は、物品管理システム１の詳細な構成図である。物品管理システム１は、非接触型のＩＣカード１００と、物品に付けられたＩＣタグ３００と、持ち物リスト作成装置５００と、ゲート管理装置７００から構成される。持ち物リスト作成装置５００は、持ち物リスト作成手段５１５を備える。持ち物リスト作成手段５１５は、名称情報３９１を含む持ち物リストデータ１９１を作成して、ＩＣカード１００に書き込む手段である。
【００２５】
ＩＣカード１００は、持ち物リスト記録手段１１５と、持ち物リスト返信手段１２５と、記憶手段１９０を備える。持ち物リスト記録手段１１５は、記憶手段１９０にデータを書き込むコマンドで実現され、持ち物リスト作成装置５００から、持ち物リストデータ１９１を含むコマンドメッセージを受信すると、このメッセージに含まれる持ち物リストデータ１９１を記憶手段１９０に記録する。
【００２６】
持ち物リスト返信手段１２５は、記憶手段１９０に記憶されたデータを読み出すコマンドで実現され、ゲート管理装置７００から、持ち物リストデータ１９１を読み出すコマンドメッセージを受信すると、記憶手段１９０に記憶されている持ち物リストデータ１９１をゲート管理装置７００に返信する。
【００２７】
ゲート管理装置７００は、持ち物リスト送信要求手段７２５と、持ち物リスト受信手段７２７と、名称情報送信要求手段７３５と、名称情報受信手段７３７と、所持リスト作成手段７４０と、判定手段７５０と、開門手段７６０と、記憶手段７９０を備える。
【００２８】
持ち物リスト送信要求手段７２５は、ＩＣカード１００を検知して、ＩＣカード１００に対し、持ち物リストデータ１９１の送信を要求する手段である。持ち物リスト受信手段７２７は、ＩＣカード１００から持ち物リストデータ１９１を受信すると、受信した持ち物リストデータ１９１を記憶手段７９０に記録する手段である。
【００２９】
名称情報送信要求手段７３５は、ＩＣタグ３００を検知して、ＩＣタグ３００に名称情報３９１を要求する手段で、名称情報受信手段７３７は、名称情報３９１をＩＣタグ３００から受信する手段である。
【００３０】
所持リスト作成手段７４０は、ＩＣタグ３００から受信した名称情報３９１を記憶手段７９０に記憶させることで、名称情報３９１を含む所持リストデータ７９１を記憶手段７９０に生成する手段で、受信した名称情報３９１の中に同じものがある場合、受信した名称情報３９１の個数を算出して、名称情報３９１と個数を対応付けた所持リストデータ７９１を作成して記憶手段７９０に記録する。
【００３１】
判定手段７５０は、ＩＣカード１００から受信した持ち物リストデータ１９１と、記憶手段７９０に生成した所持リストデータ７９１を照合して、持ち物リストデータ１９１に含まれる名称情報３９１とその個数が、所持リストデータ７９１に含まれる名称情報３９１とその個数と一致するかを判定し、名称情報３９１とその個数が一致すれば、ゲートの開門を開門手段７６０の指示する手段である。
【００３２】
開門手段７６０は、判定手段７５０からの指示を受けて、ゲートを開く手段である。
【００３３】
ＩＣタグ３００は、名称情報返信手段３３５と、記憶手段３９０を備える。記憶手段３９０は半導体メモリで、物品にＩＣタグ３００が付けられるときに名称情報３９１が記憶される。名称情報返信手段３３５は、ＩＣタグ３００に記憶された一つのコマンドで、名称情報を読み出すコマンドメッセージをゲート管理装置７００から受信すると、名称情報３９１をゲート管理装置７００に返信する。
【００３４】
以上詳しく説明したように、本願発明によれば、ユーザが所持する物品のリストである持ち物リストデータ１９１をゲート管理装置７００に予め登録することなく、ユーザが保持するＩＣカード１００と物品に付けたＩＣタグ３００により、ゲート管理装置７００を通過前にユーザの持ち物チェックを行うことができるようになる。
【図面の簡単な説明】
【００３５】
【図１】物品管理システムの全体構成
【図２】物品管理システム１の大まかな処理の流れ
【図３】物品管理システム１の詳細な構成図
【符号の説明】
【００３６】
１  物品管理システム
１００  ＩＣカード
１１５  持ち物リスト記録手段
１２５  持ち物リスト返信手段
１９０  記憶手段
１９１  持ち物リストデータ
３００  ＩＣタグ
３３５  名称情報返信手段
３９０  記憶手段
３９１  名称情報
５００  持ち物リスト作成装置
５１５  持ち物リスト発行手段
７００  ゲート管理装置
７２５  持ち物リスト送信要求手段
７２７  持ち物リスト受信手段
７３５  名称情報送信要求手段
７３７  名称情報受信手段
７４０  所持リスト作成手段
７５０  判定手段
７９０  記憶手段
７９１  所持リストデータ
９００  管理領域
【図１】
2008123509.tif 000003
【図２】
2008123509.tif 000004
【図３】
2008123509.tif 000005